(57)【要約】【課題】壁材強度を破壊せずに外壁の外力破壊に対する抵抗能力を増加したプレビルト式外壁材の提供。【解決手段】ハニカム構造板、外飾壁材を具え、該ハニカム構造板が第１板体と第２板体、ハニカムコア板及び框溝板で組成され、ハニカムコア板と框溝板が第１板体と第２板体の間に設置され、框溝板に框溝が形成され、ハニカムコア板が該框溝中に設置され、該框溝板の４周部分に凹溝が形成され、外飾壁材が透視不能な板材とされ、並びにシリコンゴムでハニカム構造板の任意の一つの板体に接着され、こうして壁面構造が形成されている。【選択図】　　　　図２
0003098231.tif 000002
【実用新案登録請求の範囲】
【請求項１】
ハニカム構造板、外飾壁材を具え、該ハニカム構造板が二つの板体、ハニカムコア板及び框溝板で組成され、ハニカムコア板と框溝板が該二つの板体の間に設置され、ハニカムコア板が該框溝板の中央に設置され、該框溝板の４周に凹溝が形成され、該凹溝に設置された固定装置により、ハニカム構造板が壁面に固定され、該外飾壁材が透視不能な板材とされ、並びにシリコンゴムでハニカム構造板の一側の板体に接着され、以上で壁面構造が形成されることを特徴とする、プレビルト式外壁材。
【請求項２】
請求項１記載のプレビルト式外壁材において、ハニカム構造板が直接壁面に固定されることを特徴とする、プレビルト式外壁材。
【請求項３】
請求項１記載のプレビルト式外壁材において、固定装置の一端にフックがあり、該フックが前記凹溝に対応して該凹溝内に係合し、該固定装置の別端に固定板が設けられ、該固定板に螺子止め溝が設けられ、該螺子止め溝にネジ部品が挿入されて壁面にねじ込まれて固定板が壁面に固定されることを特徴とする、プレビルト式外壁材。
【請求項４】
請求項１記載のプレビルト式外壁材において、ハニカム構造板がアルミ材料で形成されたことを特徴とする、プレビルト式外壁材。
【請求項５】
請求項４記載のプレビルト式外壁材において、ハニカム構造板がスチール材料で形成されたことを特徴とする、プレビルト式外壁材。
【考案の詳細な説明】
【０００１】
【考案の属する技術分野】
本考案は一種のプレビルト式外壁材に係り、特に、建築物の壁面に固定されてもとの壁面を破壊せず、外壁材の外力破壊能力を増すことができる、プレビルト式外壁材に関する。
【０００２】
【従来の技術】
ビルの外壁にはプレビルト式外壁材が使用され、現在のプレビルト式外壁材の構造は、石材のような各外壁材の周囲に複数の係止溝が設けられ、さらに複数の係止板が外壁材の係止溝中に係合され、各係止板の別板が建築物主体に固定され、これにより各外壁材が建築物に緊密に組み合わされて、外壁を形成する。しかし、上述のプレビルト式外壁材への係止溝の形成は、製造過程を複雑化させるだけでなく、外壁に切削された係止溝が壁材の応力集中を形成しやすく、亀裂や破裂等の状況を発生し、外壁材の強度を大幅に下げた。
【０００３】
このため業者は上述の外壁材の欠点を解決するため、外壁ユニット（図１）を提供し、この外壁ユニットは、内壁材部Ａを具え、該内壁材部Ａの外側壁面にシリコンゴム等の接着物Ｂにより外飾壁材２０が接合され、内壁材部Ａと外飾壁材２０の周縁にギャップが設けられて係止溝Ｃが形成され、該係止溝Ｃ中にＵ形板Ｄが設置され、さらに固定手段を利用して外壁ユニットが建築物の外壁に固定され、外来の外力を緩衝するのに用いられる。
【０００４】
上述の外壁ユニットは、接着物Ｂで内壁材部Ａと外飾壁材２０を接着し、これにより外飾壁材２０が外力破壊を受けて破裂損壊する時、全体の外壁材を取り外して完全な外壁ユニットに交換しなければならず、且つ外壁ユニットの内壁材部にはセメント板が採用され、セメント板とシリコン接着物の接着効果は不良であり、このため外飾壁材の脱落を形成しやすく、外壁ユニットの施工結果に影響を与えた。
【０００５】
【考案が解決しようとする課題】
本考案は従来の外壁材及び外壁ユニットの不足を鑑み、施工効果があがらず、応力不良等の問題を解決すべく、プレビルト式外壁材を提供するものである。
【０００６】
本考案は一種のプレビルト式外壁材を提供することを課題とし、それは、ハニカム構造板、外飾壁材を具え、該ハニカム構造板が第１板体と第２板体、ハニカムコア板及び框溝板で組成され、ハニカムコア板と框溝板が第１板体と第２板体の間に設置され、框溝板に框溝が形成され、ハニカムコア板が該框溝中に設置され、該框溝板の４周部分に凹溝が形成され、外飾壁材が透視不能な板材とされ、並びにシリコンゴムでハニカム構造板の任意の一つの板体に接着され、こうして壁面構造が形成されている。
【０００７】
本考案によると、シリコンゴムを利用し、直接外飾壁材がハニカム構造板の板体に接着され、且つハニカム構造板の框溝板の４周辺に凹溝があり、直接或いは固定装置を利用して壁面に取り付けられるものとされる。
本考案のもう一つの目的は、シリコンゴムとハニカム構造板を利用して二重の振動吸収効果を有する壁面構造を提供することにある。
【０００８】
【課題を解決するための手段】
請求項１の考案は、ハニカム構造板、外飾壁材を具え、該ハニカム構造板が二つの板体、ハニカムコア板及び框溝板で組成され、ハニカムコア板と框溝板が該二つの板体の間に設置され、ハニカムコア板が該框溝板の中央に設置され、該框溝板の４周に凹溝が形成され、該凹溝に設置された固定装置により、ハニカム構造板が壁面に固定され、該外飾壁材が透視不能な板材とされ、並びにシリコンゴムでハニカム構造板の一側の板体に接着され、以上で壁面構造が形成されることを特徴とする、プレビルト式外壁材としている。
請求項２の考案は、請求項１記載のプレビルト式外壁材において、ハニカム構造板が直接壁面に固定されることを特徴とする、プレビルト式外壁材としている。
請求項３の考案は、請求項１記載のプレビルト式外壁材において、固定装置の一端にフックがあり、該フックが前記凹溝に対応して該凹溝内に係合し、該固定装置の別端に固定板が設けられ、該固定板に螺子止め溝が設けられ、該螺子止め溝にネジ部品が挿入されて壁面にねじ込まれて固定板が壁面に固定されることを特徴とする、プレビルト式外壁材としている。
請求項４の考案は、請求項１記載のプレビルト式外壁材において、ハニカム構造板がアルミ材料で形成されたことを特徴とする、プレビルト式外壁材としている。
請求項５の考案は、請求項４記載のプレビルト式外壁材において、ハニカム構造板がスチール材料で形成されたことを特徴とする、プレビルト式外壁材としている。
【０００９】
【考案の実施の形態】
本考案のプレビルト式外壁材の組成は、図２、３に示されるようであり、それは、ハニカム構造板１０と外飾壁材２０で組成されている。
【００１０】
該ハニカム構造板１０は第１板体１１、第２板体１２、ハニカムコア板１３及び框溝板１４で組成され、ハニカムコア板１３と框溝板１４は第１板体１１と第２板体１２の間に設置され、框溝板１４に框溝１４１が形成され、ハニカムコア板１３が該框溝１４１中に設置され、且つ框溝板１４の４周辺部分に凹溝１４２が形成されている。
【００１１】
外飾壁材２０は透視不能の板材とされ、ハニカム構造板１０の任意の板体に接着され、本考案中では外飾壁材２０は第２板体１２に接着され、外飾壁材２０とハニカム構造板１０の第２板体１２間がシリコンゴム３０を接着剤として利用して接着され、シリコンゴム３０自身は良好な接着性を具え、且つ振動吸収、弾性緩衝及び引っ張り強度の特性を具えるため、有効な振動吸収、外力緩衝を行ない、外飾壁材２０が第２板体１２に接着される時、外飾壁材２０がハニカム構造板１０上にあって良好な振動吸収効果を有し、並びにハニカム構造板１０と二つの緩衝の効果を形成し、壁面構造の振動吸収効果を高める。
【００１２】
図４に示されるように、本考案は直接ハニカム構造板１０の第１板体１１を壁面４０に固定できるほか、固定装置５０を利用して壁面４０に固定することができる。該固定装置５０の一端には交錯配列されたフック５１があり、該フック５１はハニカム構造板１０の４周の凹溝１４２に対応し、フック５１が凹溝１４２内部に係止される。該固定装置５０の別端に固定板５２が設けられ、固定板５２に螺子止め溝５３が設けられ、該螺子止め溝５３にネジ部品６０が挿入されて壁面４０にねじ込まれ、こうして固定板５２が壁面４０に固定され、プレビルト式壁面が形成される。
【００１３】
【考案の効果】
図２から図４に示されるように、本考案は製造時、直接、ハニカム構造板１０、外飾壁材２０がシリコンゴム３０で固定され、施工が容易とされるほか、シリコンゴム３０自身が相当の粘着性と振動吸収、弾性緩衝の特性を有し、さらにハニカム構造板１０が良好な振動吸収効果を有するため、全体の壁面構造が二重の振動吸収効果を達成し、大幅に壁面構造の応力抵抗を増加する。ハニカム構造板１０はアルミ材料或いはスチール材料で形成され、軽量で高温に耐え、放熱効果が良好であり、施工の便利性を増す。
【００１４】
なお、以上の実施例は本考案の実施範囲を限定するものではなく、本考案に基づきなしうる細部の修飾或いは改変は、いずれも本考案の請求範囲に属するものとする。
【図面の簡単な説明】
【図１】周知の外壁ユニットの立体断面図である。
【図２】本考案の分解斜視図である。
【図３】本考案の断面図である。
【図４】本考案の応用実施例図である。
【符号の説明】
Ａ　内壁材部　　　　　　Ｃ　係止溝
Ｂ　接着物　　　　　　　Ｄ　Ｕ形板
１０　ハニカム構造板
１１　第１板体　　　　　１２　第２板体
１３　ハニカムコア板　　１４　框溝板
１４１　框溝　　　　　　１４２　凹溝
２０　外飾壁材
３０　シリコンゴム
４０　壁面
５０　固定装置　　　　　５１　フック
５２　固定板　　　　　　５３　螺子止め溝
６０　ネジ部品
【図１】
0003098231.tif 000003
【図２】
0003098231.tif 000004
【図３】
0003098231.tif 000005
【図４】
0003098231.tif 000006